(57)【特許請求の範囲】
【請求項１】
仰臥した人の少なくとも骨盤に対応する部位を支持するマットであって、
前記骨盤のうち一対の腸骨における腸骨稜の少なくとも幅方向外側の部分に対応する部位の下方にそれぞれ配置されることにより、前記一対の腸骨に対応する部位を下方から個別に支持する一対の腸骨支持部と、
前記一対の腸骨支持部の間に配置され、前記骨盤のうち前記一対の腸骨の間の仙骨に対応する部位の下方に位置する仙骨対応部と
を備えており、
前記一対の腸骨支持部および前記仙骨対応部は、前記仙骨対応部からの体圧が前記一対の腸骨支持部からの体圧よりも低くなるように構成され、
前記腸骨支持部の高さは、前記仙骨対応部の高さよりも相対的に高くなるように設定され、
前記仙骨対応部は、
前記腸骨支持部の高さよりも低い高さに設定され、前記仰臥した人の前記仙骨における前記仰臥した人の頭側の部分に対応する部位を支持する仙骨支持部と、
前記仙骨支持部の高さよりも低い高さに設定され、当該仙骨における前記仰臥した人の脚側の部分から下方に離間することにより当該脚側の部分に対応する部位を支持しない仙骨不支持部と
を有する、
ことを特徴とするマット。
【請求項２】
請求項１に記載のマットにおいて、
仰臥した人の背中を支持する背中支持部をさらに備えており、
前記背中支持部の高さは、前記腸骨支持部の高さと同じになるように設定されている、
ことを特徴とするマット。
【請求項３】
請求項１に記載のマットにおいて、
前記仙骨支持部の高さは、前記仰臥した人の脚に向かうにつれて低くなるように、設定され、
前記仙骨支持部は、前記仰臥した人の少なくとも前記仙骨における前記仰臥した人の頭側部分および当該仙骨に隣接する腰椎に対応する部位を下方から連続的に支持する、ことを特徴とするマット。
【請求項４】
仰臥した人の少なくとも骨盤に対応する部位を支持するマットであって、
前記骨盤のうち一対の腸骨における腸骨稜の少なくとも幅方向外側の部分に対応する部位の下方にそれぞれ配置されることにより、前記一対の腸骨に対応する部位を下方から個別に支持する一対の腸骨支持部と、
前記一対の腸骨支持部の間に配置され、前記骨盤のうち前記一対の腸骨の間の仙骨に対応する部位の下方に位置する仙骨対応部と
を備えており、
前記一対の腸骨支持部および前記仙骨対応部は、前記仙骨対応部からの体圧が前記一対の腸骨支持部からの体圧よりも低くなるように構成され、
前記仙骨対応部は、前記仰臥した人の前記仙骨に対応する部位を支持する仙骨支持部を有し、
前記仙骨支持部の高さは、前記腸骨支持部の高さと同じになるように設定されており、
前記仙骨支持部の硬度は、前記腸骨支持部の硬度よりも低くなるように設定されている、
ことを特徴とするマット。
【発明の詳細な説明】
【技術分野】
【０００１】
本発明はマットに関し、特に、仰臥時における呼吸の促進を可能にしたマットに関する。
【背景技術】
【０００２】
マットの中には、人がその身体を横たえるとき、その身体を支えるのに使用されるものがある。この種のマットには、その上に横たわる人に寝心地を良く感じさせる機能が求められる。【０００３】
マットの寝心地は、そのマットの反発力と、そのマットの上に横たわる人の体圧との間のバランスに左右される。体圧とは、マットの上に横たわる人がそのマットに与える圧力のことであり、その分布は身体の姿勢によって異なる。たとえば仰臥位での体圧は臀部で最も高い。仰臥した人の全身をマットが支える場合、そのマットの反発力が一様に高いと、体圧が臀部と背中とに集中するので、臀部と背中とがうっ血しやすい。その結果、うっ血を解消するための寝返りが多くなるので、眠りが浅くなりやすい。逆に、マットの反発力が一様に低いと、臀部が最も深くそのマットに沈み込む。その結果、仰臥時の背骨が直立時のＳ字形状から大きく歪むので、腰痛、猫背の原因となる。【０００４】
寝心地を良くするための工夫として、仰臥した人の背骨の方向において反発力、または表面形状を場所によって変化させたマットが知られている（たとえば特許文献１〜３参照）。これらのマットでは、臀部と背中とに接触する領域が他の領域よりも柔らかく、または低く設定されている。これにより、臀部と背中とに集中していた体圧が他の部位へ分散される結果、マットの全体で体圧が一様に近づくので、仰臥時の背骨を直立時と同じＳ字形状に近づけることができる。【０００５】
寝心地の良さには、寝返りの回数、背骨の形状の他にも、呼吸の深さが関係する。睡眠中の呼吸が深いほど、寝心地は良い。しかし、上記のようなマットの全体で体圧を一様に近づけても、仰臥時には呼吸が浅くなることがあり、呼吸の促進のためには改善の余地がある。
【先行技術文献】
【特許文献】
【０００６】
【特許文献１】実開平０６−０５８７６２号公報
【特許文献２】特開２００２−１１９３８２号公報
【特許文献３】特表２０１６−５０６７９７号公報
【発明の概要】
【０００７】
本発明は、上記の事情に鑑みてなされたものであって、仰臥時における呼吸の促進を可能にしたマットを提供することを目的とする。
【０００８】
本発明のマットは、仰臥した人の少なくとも骨盤に対応する部位を支持するマットであって、前記骨盤のうち一対の腸骨における腸骨稜の少なくとも幅方向外側の部分に対応する部位の下方にそれぞれ配置されることにより、前記一対の腸骨に対応する部位を下方から個別に支持する一対の腸骨支持部と、前記一対の腸骨支持部の間に配置され、前記骨盤のうち前記一対の腸骨の間の仙骨に対応する部位の下方に位置する仙骨対応部とを備えており、前記一対の腸骨支持部および前記仙骨対応部は、前記仙骨対応部からの体圧が前記一対の腸骨支持部からの体圧よりも低くなるように構成され、前記腸骨支持部の高さは、前記仙骨対応部の高さよりも相対的に高くなるように設定され、前記仙骨対応部は、前記腸骨支持部の高さよりも低い高さに設定され、前記仰臥した人の前記仙骨における前記仰臥した人の頭側の部分に対応する部位を支持する仙骨支持部と、前記仙骨支持部の高さよりも低い高さに設定され、当該仙骨における前記仰臥した人の脚側の部分から下方に離間することにより当該脚側の部分に対応する部位を支持しない仙骨不支持部とを有する、ことを特徴とする。
【図面の簡単な説明】
【０００９】
【図１】本発明の実施形態に係るマットの全体構成を示す斜視図である。
【図２】図１のマットの平面図である。
【図３】図１の矢視Ａ図である。
【図４】図１のマットに人が仰臥した状態を示す説明図である。
【図５】図１のマットと仰臥した人の骨格との相対的な位置関係を模式的に示すマットおよび人の背面図である。
【図６】仙骨のうなずき運動を説明するための骨盤の斜視説明図である。
【図７】図１のマットに人が仰臥した際の一対の腸骨の内旋および仙骨のうなずき運動を模式的に示す断面説明図である。
【図８】図１のマットに人が仰臥した際の仙骨に対応する部位が仙骨支持部に支持された状態を示す断面説明図である。
【図９】本発明の変形例として、仙骨支持部の載置面が脚側に向かうにつれて低くなる形態を有し、仙骨および腰椎に対応する部位が仙骨支持部の載置面に支持された状態を示す断面説明図である。
【図１０】本発明の他の変形例として、仙骨対応部が仙骨不支持部で構成されたマットの斜視図である。
【図１１】本発明のさらに他の変形例として、背中支持部を省略した構成のマットの斜視図である。
【発明を実施するための形態】
【００１０】
以下、添付図面を参照しながら本発明の好ましい実施の一形態について詳述する。
【００１１】
（マット１の概要説明）
図１〜３に示されるマット１は、たとえば薄い直方体形状のウレタンなどの弾力性を有する材料によって一体形成されている。マット１は、当該マット１を支えるフレームまたは台（図示せず）と共にベッドを構成する。マット１は、たとえばその上面全体で、その上に仰臥した人５０（図４〜５参照）の全身を支えることができるサイズである。マット１のサイズは、例えば、標準的な成人の体型（例えば、身長１７０ｃｍ、体重７０ｋｇ程度の日本の成人男子など）に合わせて設定される。なお、本発明では、マット１は、仰臥した人５０の少なくとも骨盤ＰＶ（図４〜５参照）に対応する部位を支持することが可能なサイズがあればよい。
【００１２】
なお、本願明細書および図面では、方向を表すために、仰臥した人５０の身体が延びる方向Ｘ（頭側Ｘ１、脚側Ｘ２）、仰臥した人５０の幅方向Ｙ（右側Ｙ１、左側Ｙ２）、およびマット１の上下方向Ｚ（上側Ｚ１、下側Ｚ２）が定義されている。
【００１３】
マット１は、仰臥した人５０の背中５２、骨盤ＰＶおよび脚部に当接可能な部分が上方Ｚ１に突出した形状を有している。具体的には、マット１は、平坦な直方体形状のベース部２と、当該ベース部２の上面２ａから上方Ｚ１に突出する３か所の部分、すなわち、背中支持部３と、骨盤支持部４と、脚部支持部５とを備えている。背中支持部３は、仰臥した人５０の背中５２（図４〜５参照）を支持する。骨盤支持部４は、背中支持部３よりも脚側Ｘ２に位置し、骨盤ＰＶ（図４〜５参照）に対応する部位を支持する。脚部支持部５は、骨盤支持部４よりも脚側Ｘ２に位置し、脚の大腿骨ＦＭ（図４〜５参照）付近の部分に対応する部位を支持する。
【００１４】
マット１における背中支持部３よりも頭側Ｘ１には、頭部５１（図４参照）が配置される頭部配置領域６が形成されている。頭部配置領域６では、ベース部２の上面２ａが露出しており、頭部５１を支持する枕Ｐが配置される。
【００１５】
マット１における骨盤支持部４と脚部支持部５との間には、股関節Ｊ２（図４〜５参照）が配置される空間部７ａを有する股関節配置領域７が形成される。股関節Ｊ２は、人５０の仰臥時に空間部７ａに収容されることにより、マット１によって圧迫されないので、後述する一対の寛骨ＨＢの幅方向Ｙの移動の妨げにならない。
【００１６】
仰臥時には、骨盤支持部４（具体的には、後述の腸骨支持部１１）および脚部支持部５は人５０の体重によってつぶされるが、空間部７ａは仰臥時につぶされないため、股関節Ｊ２は不支持状態になる。したがって、空間部７ａの深さは人５０の体重でもつぶされない程度に設定される。なお、空間部７ａを形成する代わりに、股関節配置領域７が骨盤支持部４および脚部支持部５と同一の高さを有するとともに硬度が低い材料で形成しても股関節Ｊ２の圧迫を回避することが可能である。
【００１７】
（骨盤ＰＶの説明）
ここで、骨盤支持部４によって支持される骨盤ＰＶについて詳細に説明する。骨盤ＰＶは、図４〜６に示されるように、幅方向Ｙに離間した一対の寛骨ＨＢと、当該一対の寛骨ＨＢの間に位置する仙骨Ｓと、仙骨Ｓの脚側Ｘ２の端部に接続された尾骨ＣＣとから構成されている。
【００１８】
寛骨ＨＢは、その頭側Ｘ１の部分を構成する腸骨ＬＭと、腸骨ＬＭの脚側Ｘ２の端部から身体の前方（図４の上側Ｚ１）かつ身体中心側に延びるアーチ状の恥骨ＰＢと、腸骨ＬＭの脚側Ｘ２から当該脚側Ｘ２に湾曲して恥骨ＰＢの身体中心側の端部に接続されたアーチ状の座骨ＳＮとから構成されている。一対の腸骨ＬＭのそれぞれと仙骨Ｓは、仙腸関節Ｊ１によって接続されている。
【００１９】
図４〜６に示されるように、腸骨ＬＭは、湾曲した板状の平たい骨である。腸骨ＬＭは、その頭側Ｘ１の端部において、身体の幅方向Ｙの外方かつ前方（図４の上側Ｚ１）に湾曲する円弧状の稜線部分である腸骨稜ＬＭａを有する。言い換えれば、腸骨稜ＬＭａは、腸骨ＬＭにおける仰臥した人５０の頭部５１に近い側（頭側Ｘ１）の縁である。
【００２０】
（骨盤支持部４の詳細説明）
上記のように構成された骨盤ＰＶに対応する部位を支持するために、本実施形態の骨盤支持部４は、以下のように構成されている。
【００２１】
骨盤支持部４は、図１〜５に示されるように、幅方向Ｙに互いに離間する一対の腸骨支持部１１と、当該一対の腸骨支持部１１の間に配置された仙骨支持部１２ａとを備えている。  本実施形態では、仙骨支持部１２ａとその両側の腸骨支持部１１との間は、隙間１３（図１〜２参照）を介して離間しているので、腸骨支持部１１からの体圧が仙骨Ｓに影響することを回避でき、後述する仙骨Ｓのうなずき運動を阻害しない。
【００２２】
一対の腸骨支持部１１は、骨盤ＰＶのうち一対の腸骨ＬＭのそれぞれの腸骨稜ＬＭａの下方Ｚ２において当該腸骨稜ＬＭａの少なくとも幅方向Ｙの外側の部分ＬＭｂ（図７参照）に対応する部位に当接可能な位置にそれぞれ配置されている。なお、腸骨稜ＬＭａの幅方向Ｙの外側の部分ＬＭｂとは、図７に示されるように、腸骨稜ＬＭａのうち下方Ｚ２かつ幅方向Ｙ外側を向く範囲をいう。これにより、一対の腸骨支持部１１は、図７に示されるように、一対の腸骨ＬＭに対応する部位を下方Ｚ２から個別に支持することが可能である。各腸骨支持部１１は、腸骨ＬＭが載置される載置面１１ａと、載置面１１ａにおけるマット１の幅方向Ｙの中心に近い側の縁である内側上縁１１ｂと、載置面１１ａの脚側Ｘ２の縁である脚側縁１１ｃとを有する。
【００２３】
載置面１１ａの形状は、平面視では、矩形形状を有する平面であり、背中支持部３の上面と同じ高さで連続している。なお、載置面１１ａは、背中支持部３の上面よりも高くてもよい。
【００２４】
載置面１１ａの寸法は、例えば、日本人の成人男子の腸骨稜ＬＭａの少なくとも幅方向Ｙの外側の部分に対応する部位、具体的には、腸骨稜ＬＭａの幅方向外側の部分ＬＭｂ（図７参照）に対応する部位に当接可能であるが、恥骨ＰＢおよび座骨ＳＮに対応する部位に当接しない範囲に設定される。この場合、図２に示されるように、例えば、一対の腸骨支持部１１の間隔Ｉが約２０ｃｍ（１５〜２５ｃｍ程度）に設定した場合に、載置面１１ａの横幅ＩＩ（幅方向Ｙの長さ）は、９ｃｍ以上、縦幅ＩＩＩ（長手方向Ｘの長さ）が約１１．５ｃｍ（１０〜１５ｃｍ程度）に設定される。
【００２５】
仙骨対応部１２は、一対の腸骨支持部１１の間に配置され、骨盤ＰＶのうち一対の腸骨ＬＭの間の仙骨Ｓに対応する部位の下方Ｚ２に位置する。仙骨対応部１２は、図１〜２および図８に示されるように、腸骨支持部１１の高さＨ１（図３参照）よりも低い高さＨ２に設定され、仰臥した人５０の仙骨Ｓにおける頭側Ｘ１の部分Ｓ１に対応する部位を支持する仙骨支持部１２ａと、仙骨支持部１２ａの高さＨ２よりも低い高さに設定され、当該仙骨Ｓにおける脚側Ｘ２の部分Ｓ２から下方Ｚ２に離間することにより当該脚側Ｘ２の部分Ｓ２に対応する部位を支持しない仙骨不支持部１２ｂとを有する。
【００２６】
仙骨支持部１２ａは、仙骨Ｓにおける当該仰臥した人の頭側Ｘ１の部分Ｓ１に対応する部位を下方Ｚ２から支持する部分である。仙骨支持部１２ａは、仙骨Ｓに対応する部位が載置される載置面１２ａ１と、載置面１２ａ１の脚側Ｘ２の縁である脚側縁１２ａ２とを有する。
【００２７】
載置面１２ａ１の形状は、平面視では、矩形形状を有する水平方向に平坦な平面であり、腸骨支持部１１の載置面１１ａおよび背中支持部３の上面よりも低くなっている。載置面１２ａ１の寸法は、例えば、日本人の成人男子の仙骨Ｓの少なくとも頭側Ｘ１の部分Ｓ１に対応する部位に当接可能であるが、腸骨ＬＭに対応する部位には当接しない範囲に設定される。この場合、図２に示されるように、例えば、載置面１２ａ１の横幅ＩＶ（幅方向Ｙの長さ）は、８〜１０ｃｍ程度、縦幅Ｖ（長手方向Ｘの長さ）が８〜１２ｃｍ程度（載置面１１ａの縦幅ＩＩＩよりも小さい範囲）に設定される。縦幅Ｖは、好ましくは６〜１２ｃｍ程度に設定される。
【００２８】
仙骨不支持部１２ｂは、仙骨Ｓにおける脚側Ｘ２の部分Ｓ２に対応する部位を支持しない部分である。仙骨不支持部１２ｂは、仙骨支持部１２ａの載置面１２ａ１よりも低い位置で、かつ脚側縁１２ａ２よりも脚側Ｘ２に位置する平面である。本実施形態の仙骨不支持部１２ｂは、ベース部２の上面２ａと同じ高さで連続しているが、仙骨Ｓの脚側Ｘ２の部分Ｓ２に対応する部位に当接しなければ当該上面２ａよりも高くてもよい。なお、本発明における仙骨不支持部１２ｂは、仰臥した人５０が標準的な体型、体重の場合には仙骨不支持部１２ｂからの体圧がない（無圧である）ことを想定しているが、体重が重い人の場合にはマット１が沈み込んで仙骨不支持部１２ｂから若干の体圧が仙骨対応部位にかかってもよい。その場合も、仙骨不支持部１２ｂからの体圧が腸骨支持部１１からの体圧よりも低いことには変わりがない。
【００２９】
一対の腸骨支持部１１および仙骨対応部１２は、仙骨対応部１２から仰臥した人５０の仙骨Ｓに対応する部位に与える体圧が一対の腸骨支持部１１から仰臥した人５０の一対の腸骨ＬＭに対応する部位に与える体圧よりも低くなるように構成されている。本実施形態では、腸骨支持部１１および仙骨支持部１２ａにおける相対的な高さを変えることにより、仙骨支持部１２ａからの体圧を部分的に低くしているが、後述の変形例のように、腸骨支持部１１および仙骨支持部１２ａの硬度を変えることにより、仙骨支持部１２ａからの体圧を部分的に低くしてもよい。さらに、後述の変形例（図１０参照）のように、仙骨対応部１２全体が仙骨Ｓを支持しない仙骨不支持部１２ｂで構成することにより、仙骨対応部１２（すなわち、仙骨不支持部１２ｂ）からの体圧を０にしてもよい。言い換えれば、本発明でいう仙骨対応部１２からの体圧には、０が含まれる。
【００３０】
ここで、腸骨支持部１１および仙骨対応部１２からのそれぞれの体圧は、例えば、既存の体圧測定機などによって測定される。体圧測定器では、マット１上の領域をマトリックス状に分割してマス目ごとの荷重を体圧として計測する。この体圧測定器を用いることによって、腸骨支持部１１および仙骨支持部１２ａからのそれぞれの体圧は、例えば、腸骨支持部１１から腸骨稜ＬＭａに対応する部位の領域に与える体圧の平均値、および、仙骨対応部１２から仙骨Ｓに対応する部位の領域に与える体圧の平均値として求めることができる。
【００３１】
腸骨支持部１１および仙骨支持部１２ａにおける相対的な高さを変える場合、具体的には、図３に示されるように、腸骨支持部１１の高さＨ１は、仙骨支持部１２ａの高さＨ２よりも相対的に高くなるように設定されている。ベース部２の上面２ａを基準として、腸骨支持部１１の高さＨ１は、マットの硬さによるが、例えば、５ｍｍ〜４ｃｍ程度の範囲、好ましくは２ｃｍ程度前後に設定される。ここで、腸骨支持部１１の高さＨ１が５ｍｍ未満の場合には、腸骨稜ＬＭａの幅方向Ｙの外側部分ＬＭｂを支持する効果が無く、一方、４ｃｍより大きいとマット１の背中支持部３よりも相対的に大きく突出しすぎて違和感が生じるなどの不具合が生じる。そのため、これら不具合を解消する点では、腸骨支持部１１の高さＨ１は、上記のように、５ｍｍ〜４ｃｍ程度の範囲に設定されるのが好ましい。
【００３２】
本実施形態では、背中支持部３および脚部支持部５の高さは、腸骨支持部１１と同じ高さになるように、設定されている。しかし、本発明はこれに限定されるものではなく、腸骨支持部１１をこれら背中支持部３および脚部支持部５よりも高く設定してもよい。
【００３３】
また、仙骨支持部１２ａの高さＨ２は、仙骨支持部１２ａから仙骨Ｓに対応する部位に与える体圧が腸骨支持部１１から腸骨ＬＭに対応する部位に与える体圧よりも低くなるように仙骨Ｓに対応する部位を支持することが可能な高さに設定されている。具体的には、仙骨支持部１２ａの高さＨ２は、一対の腸骨支持部１１の高さＨ１よりも低く、かつ、図８に示されるように仙骨Ｓに対応する部位に当接可能な高さに設定され、例えば、１ｃｍ程度前後に設定されている。仙骨支持部１２ａの高さＨ２は、仙骨Ｓに対応する部位が少なくとも仙骨支持部１２ａの一部、具体的には脚側縁１２ａ２に当接可能な高さであればよい。
【００３４】
（呼気と仙骨Ｓのうなずき運動との関係についての説明）
本発明者は、仰臥時の呼吸が浅くなりがちであることに関して鋭意検討した結果、仰臥時に仙骨のうなずき運動の阻害が仰臥時の呼吸に関係していることを突き止め、以下のように仙骨のうなずき運動の阻害要因を解消することについて研究した。
【００３５】
睡眠時の呼吸は、無意識に自然呼吸を行っているが、この自然呼吸をいかに豊かに行うかが重要となる。呼吸のうち重要なのは呼気（息を吐くこと）であり、いかに多量の息を吐けるかが息を吸う量に深く関係する。息を深く吐くことができれば吐く量に対応して息を多量に吸うことが可能になる。深い自然呼吸を睡眠中に取ることができれば、血中酸素量の低下も起きないし、呼気が豊かになることで、迷走神経が優位となるので、安眠にもつながる。
【００３６】
呼気を促進するためには、図５に示される胸郭ＲＣを収縮させるために横隔膜ＤＰを頭側Ｘ１に移動しやすくするようにすればよい。横隔膜ＤＰは、胸郭ＲＣの下端を閉じる筋肉の膜である。横隔膜ＤＰは、頭側Ｘ１に突出したドーム状をしており、弛緩時（呼気時）にはドーム状をしており、緊張時（吸気時）には中央部が脚側Ｘ２へ移動しながら平坦になる。横隔膜ＤＰは、仙骨Ｓに連続する第２腰椎Ｌ２付近、具体的には腰椎Ｌ１〜Ｌ３につながっている。
【００３７】
図４〜７に示される仙骨Ｓが人５０の前方（図４の上方Ｚ１と同じ方向）に傾動するうなずき運動をすることによって、仙骨Ｓにつながる腰椎Ｌ１〜Ｌ５が前方へ移動し、それに伴って腰椎Ｌ１〜Ｌ３につながるドーム状の横隔膜ＤＰが弛緩しやすくなる。これにより、横隔膜ＤＰは、頭側Ｘ１へ移動しやすくなり、呼気が促進される。
【００３８】
ただし、仙骨Ｓと一対の腸骨ＬＭとを接続する仙腸関節Ｊ１が多数の強固な靱帯でおおわれているため、仙骨Ｓのみを単独で動かすことができない。そこで、本発明者は、一対の腸骨ＬＭと仙骨Ｓとの連動した動きによって、仙骨Ｓのうなずき運動を促すことを考えた。
【００３９】
図６に示されるように、仙骨Ｓのうなずき運動を行う場合、一対の寛骨ＨＢのそれぞれの腸骨ＬＭに対して、腸骨ＬＭの頭側Ｘ１の端部である腸骨稜ＬＭａのうち幅方向Ｙの外側部分ＬＭｂを身体の前方（図４の上方Ｚ１と同じ方向）に力を与える。これによって、一対の腸骨ＬＭが内側（身体の中心側）に閉じる方向に移動する。このとき、仙腸関節Ｊ１に隙間または遊びが生じて仙骨Ｓが動きやすくなる。これにより、仙骨Ｓの頭側Ｘ１の端部である岬角Ｓａが前方（図４の上方Ｚ１と同じ方向）へ移動し、仙骨Ｓの脚側Ｘ２の部分が後方（図４の下方Ｚ２と同じ方向）へ移動し、仙骨Ｓ全体が前方（方向Ｚ１）へうなずく運動をスムーズに行うことが可能である。仙骨Ｓのうなずき運動が大きくなると第２腰椎Ｌ２付近（Ｌ１〜Ｌ３の範囲）につながる横隔膜ＤＰが弛緩して頭側Ｘ１へ移動しやすくなることで、呼気が豊かになる。それに伴い、呼気のための下部胸郭ＲＣの収縮が豊かになる。
【００４０】
本実施形態のマット１は、仰臥時に仙骨Ｓがマット１による圧迫によって当該仙骨Ｓのうなずき運動が阻害されることを解消しており、その結果、仙骨Ｓの可動範囲を広げることが可能になる。
【００４１】
なお、図６に示されるように、仙骨Ｓがうなずき運動をするときには、寛骨ＨＢのうち腸骨ＬＭは幅方向Ｙの内側へ移動する。したがって、一対の腸骨ＬＭの間隔が狭まり、腹腔の圧力が上昇することにより、横隔膜ＤＰは頭側Ｘ１へさらに移動しやすくなる。寛骨ＨＢの腸骨ＬＭ以外の部分では、恥骨ＰＢおよび座骨ＳＮは幅方向Ｙの外側へ移動する。（すなわち、図７の恥骨結合ＰＢａが開く方向へ移動する。）
【００４２】
一方、仙骨Ｓがうなずいて呼気をしばらく行った後にはその反動として、うなずき運動と反対の動きとして、仙骨Ｓが起き上がる運動が生じる。仙骨Ｓの起き上がり運動では、仙骨Ｓの頭側Ｘ１の岬角Ｓａが後方（図４の下方Ｚ２と同じ方向）へ移動し、仙骨Ｓの脚側Ｘ２の部分が前方（図４の上方Ｚ１と同じ方向）へ移動する。仙骨Ｓが起き上がると第２腰椎Ｌ２付近（Ｌ１〜Ｌ３）につながる横隔膜ＤＰが脚側Ｘ２へ移動して胸郭ＲＣが拡幅することにより、多量の吸気が可能になる。
【００４３】
（本実施形態の特徴）
（１）
本発明者は、上記のように、仰臥時において呼吸の促進をするために骨盤ＰＶの動きに着目して鋭意検討を重ねた結果、骨盤ＰＶのうち一対の腸骨ＬＭの間に位置する仙骨Ｓが前方（図４の上方Ｚ１と同じ方向）に傾動するうなずき運動を促すことが呼吸の促進につながることを突き止め、上記構成のマット１を発明するに至った。
【００４４】
一般的な一様に平坦なマットでは、仰臥時において腸骨ＬＭおよび仙骨Ｓの両方に体圧がかかり、とくに仙骨Ｓにより大きな体圧がかかる傾向がある。この場合、仙骨Ｓのうなずき運動が阻害され、呼吸が促進されない。
【００４５】
これに対して、本実施形態のマット１は上記の腸骨支持部１１備え、仙骨支持部１２ａが腸骨支持部１１よりも上下方向Ｚの高さにおいて低く設定されていることにより、仙骨支持部１２ａからの体圧が腸骨支持部１１からの体圧よりも低くなるので、仙骨Ｓのうなずき運動を円滑に行うことができる。
【００４６】
しかも、仙骨支持部１２ａからの体圧が低くなることにより、相対的に腸骨支持部１１の体圧が上昇する。これにより、一対の腸骨ＬＭにおける腸骨稜ＬＭａの外側部分ＬＭｂが閉じる方向（幅方向Ｙにおいて身体の中心に向かう方向）に押圧される一方、仙腸関節Ｊ１が開くので、仙骨Ｓのうなずき運動が促される。そのため、仰臥時にでも、仙骨Ｓのうなずき運動が円滑に行われるので、睡眠時にも深い呼吸が可能になり、寝心地が改善される。
【００４７】
すなわち、本実施形態のマット１は、上記の仙骨Ｓのうなずき運動を促すために、図１〜５に示されるように、骨盤ＰＶのうち一対の腸骨ＬＭにおける仰臥した人５０の頭に近い側（頭側Ｘ１）の縁である腸骨稜ＬＭａの下方Ｚ２において当該腸骨稜ＬＭａの少なくとも幅方向Ｙの外側の部分ＬＭｂに対応する部位に当接可能な位置にそれぞれ配置された一対の腸骨支持部１１と、当該一対の腸骨支持部１１の間に配置された仙骨支持部１２ａおよび仙骨不支持部１２ｂを有する仙骨対応部１２とを備えている。
【００４８】
したがって、図４〜５および図７に示されるように、人５０が上記構成のマット１に仰臥したときには、一対の腸骨支持部１１（具体的には、腸骨支持部１１の内側上縁１１ｂおよびその周辺部分）が一対の腸骨ＬＭのそれぞれの腸骨稜ＬＭａに対応する部位に当接した状態で、一対の腸骨ＬＭに対応する部位を下方Ｚ２から個別に支持することが可能になる。このとき、一対の腸骨ＬＭは腸骨稜ＬＭａに対応する部位で腸骨支持部１１からの反力（体圧）を受けることによって身体の前方（上方Ｚ１と同じ方向）かつ幅方向Ｙの中心側へ向かう旋回（内旋）運動が促される。
【００４９】
また、上記のマット１では、一対の腸骨支持部１１および仙骨対応部１２（すなわち、仙骨支持部１２ａおよび仙骨不支持部１２ｂ）は、仙骨対応部１２から仰臥した人５０の仙骨Ｓに対応する部位に与える体圧が一対の腸骨支持部１１から仰臥した人５０の一対の腸骨ＬＭに対応する部位に与える体圧よりも低くなるように構成されている。このため、一対の腸骨ＬＭの間の仙骨Ｓは、一対の腸骨ＬＭの内旋に伴って前方（上方Ｚ１と同じ方向）かつ脚側Ｘ２へ向けて旋回、すなわち、うなずき運動を、仙骨対応部１２からの反力（体圧）によって阻害されることなく行うことが可能になる。
【００５０】
仙骨Ｓのうなずき運動では、上記のように、図６〜７に示されるように、仙骨Ｓの頭側Ｘ１の端部である岬角Ｓａが前方（図４の上方Ｚ１と同じ方向）へ移動し、仙骨Ｓの脚側Ｘ２の部分が後方（図４の下方Ｚ２と同じ方向）へ移動し、仙骨Ｓ全体が前方（方向Ｚ１）へうなずく運動をする。なお、図７では、仙骨Ｓは、うなずく直前の状態を示しているが、仙骨Ｓがうなずき運動をした後の状態では、図８に示されるように、仙骨Ｓに対応する部位は、仙骨支持部１２ａの載置面１２ａ１における脚側縁１２ａ２およびその周辺部分に当接している。
【００５１】
仙骨Ｓがうなずき運動をすることによって、仙骨Ｓに連続する第２腰椎Ｌ２付近の腰椎Ｌ１〜Ｌ３につながる横隔膜ＤＰ（図５参照）が仰臥した人５０の頭へ向かう方向Ｘ１に移動し、胸郭ＲＣが収縮することにより、呼気がしやすくなる。また、呼気がしやすくなればその反動で吸気も容易になる。その結果、仰臥時における呼吸の促進を可能する。
【００５２】
通常市販されている一様に平坦な形状のマットでは、仙骨Ｓに対応する部位はその両側の腸骨ＬＭに対応する部位が受ける体圧と同程度の体圧を受けるように支持されているので、仙骨Ｓとその両側の腸骨ＬＭとを接続する仙腸関節Ｊ１がゆるまないので、仙骨Ｓが腸骨ＬＭに対して相対的に前傾運動、すなわち、うなずき運動をすることができない。一方、本実施形態のマット１では、一対の腸骨ＬＭに対応する部位が受ける体圧と仙骨Ｓに対応する部位が受ける体圧を変えることによって、仙骨Ｓのうなずき運動を円滑に行うことが可能である。
【００５３】
（２）
本実施形態のマット１は、ウレタンなどの同一素材によって一体形成された構成を有し、図３に示されるように、腸骨支持部１１の高さＨ１は、仙骨対応部１２の仙骨支持部１２ａの高さＨ２よりも相対的に高くなるように設定されている。かかる構成によれば、仙骨支持部１２ａから仙骨Ｓに対応する部位への反力（体圧）を抑制しながら、腸骨支持部１１によって腸骨ＬＭに対応する部位を確実に支持して腸骨ＬＭの内旋および仙骨Ｓのうなずき運動を促すことが可能になる。その結果、仰臥時における呼吸の促進を確実に可能する。
【００５４】
（３）
本実施形態のマット１は、仰臥した人５０の背中５２を支持する背中支持部３を備えている。背中支持部３の高さは、腸骨支持部１１と同じ高さになるように設定されている。かかる構成によれば、仰臥した人５０の背中５２および腸骨ＬＭに対応する部位がマット１上の同一平面で支持されるので、腸骨支持部１１が上方Ｚ１に突出することによる違和感を軽減することが可能である。
【００５５】
（４）
本実施形態のマット１では、仙骨対応部１２は、腸骨支持部１１の高さＨ１よりも低い高さＨ２に設定され、仰臥した人５０の仙骨Ｓにおける仰臥した人の頭側Ｘ１の部分Ｓ１に対応する部位を支持する仙骨支持部１２ａと、仙骨支持部１２ａの高さＨ２よりも低い高さに設定され、仙骨Ｓにおける仰臥した人５０の脚側Ｘ２の部分Ｓ２から下方Ｚ２に離間することにより当該脚側Ｘ２の部分Ｓ２に対応する部位を支持しない仙骨不支持部１２ｂとを有する。
【００５６】
仙骨Ｓがうなずき運動をした状態では、仙骨Ｓの頭側Ｘ１の部分Ｓ１は脚側Ｘ２の部分Ｓ２よりも上方Ｚ１に位置している。そこで、上記の構成では、仙骨Ｓのうち頭側Ｘ１の部分Ｓ１に対応する部位を仙骨支持部１２ａで部分的に支持し、脚側Ｘ２の部分Ｓ２に対応する部位については仙骨不支持部１２ｂが当該部分Ｓ２から下方Ｚ２に離間して当該部分Ｓ２を支持しないようにする。これにより、腸骨支持部１１からの体圧、仙骨支持部１２ａからの体圧、および仙骨不支持部１２ｂからの体圧の順に体圧を段階的に低く調整することが可能であり、さらに、仙骨Ｓを前傾した状態を維持しながらも仙骨対応部１２全体から仙骨Ｓへの平均的な体圧をより低くすることが可能になる。これにより、仙骨Ｓのうなずき運動を円滑に促すことが可能になり、その結果、仰臥時における呼吸の促進をより確実に可能する。
【００５７】
（５）
本実施形態のマット１では、仙骨支持部１２ａの高さＨ２は、図８に示されるように、仙骨支持部１２ａから仙骨Ｓに対応する部位に与える体圧が腸骨支持部１１から腸骨ＬＭに対応する部位に与える体圧よりも低くなるように仙骨Ｓを支持することが可能な高さに設定されている。
【００５８】
かかる構成によれば、目視可能によって位置合わせが容易である。また、高さによる体圧調整を行うことにより、マット製造時において体圧を予測して製造することが可能になり、製品管理が容易になる。仙骨支持部１２ａによって仙骨Ｓをうなずき運動可能に支持することが可能になり、その結果、仙骨Ｓにつながる腰椎Ｌ３〜Ｌ５に与える負荷を小さくすることが可能になる。
【００５９】
（６）
本実施形態では、図１〜５に示されるように、骨盤支持部４の腸骨支持部１１と脚部支持部５との間には、股関節配置領域７が形成されている。股関節配置領域７は、股関節Ｊ２（図４〜５参照）が配置される空間部７ａを有する。このため、股関節Ｊ２は、人５０の仰臥時に空間部７ａに収容されることにより、マット１によって圧迫されないので、一対の寛骨ＨＢの幅方向Ｙの移動の妨げにならない。そのため、股関節Ｊ２が拘束されることなく、腸骨ＬＭの内旋および仙骨Ｓのうなずき運動を円滑に行い、その結果、呼吸の促進が可能になる。なお、図５の股関節配置領域７の範囲内には、寛骨ＨＢのうち腸骨ＬＭの下部および座骨ＳＮの上部の部分が配置されているが、この部分に対応する部位は、股関節Ｊ２を圧迫しない程度であれば、股関節配置領域７の空間部７ａの底面に当接して体圧を受けてもよい。
【００６０】
（変形例）
（Ａ）
上記実施形態では、仙骨支持部１２ａの載置面１２ａ１は、水平方向に平坦な平面であるが、本発明はこれに限定されるものではない。本発明の変形例として、図９に示されるように、仙骨支持部１２ａの高さは、仰臥した人５０の脚に向かうにつれて（すなわち、脚側Ｘ２へ向かう方向へ行くにしたがって）低くなるように、設定され、仙骨支持部１２ａは、仰臥した人５０の少なくとも仙骨Ｓおよび当該仙骨Ｓに隣接する腰椎に対応する部位を下方から連続的に支持してもよい。すなわち、仙骨支持部１２ａの載置面１２ａ１が脚側Ｘ２へ向かうにつれて下降するスロープ状に形成し、このスロープ状の載置面１２ａ１によって、仙骨Ｓにつながる腰椎Ｌ３〜Ｌ５に与える負荷を軽減してもよい。
【００６１】
かかる構成によれば、仙骨Ｓが前方（上方Ｚ１）にうなずいた状態では、仙骨支持部１２ａが仙骨Ｓおよび腰椎Ｌ４〜Ｌ５に対応する部位の広範囲に当接して体圧を分散させながら支持することが可能になる。その結果、仙骨Ｓにつながる腰椎Ｌ３〜Ｌ５に与える負荷をさらに小さくすることが可能になる。
【００６２】
すなわち、図９に示されるように、腰椎Ｌ４〜５および仙骨Ｓに対応する部位の全体がスロープ状の載置面１２ａ１に載置されていることにより、背中支持部３の脚側縁３ａにおける腰椎Ｌ３とＬ４との間で屈曲する角度は小さくなっている。これは、図８に示されるように仙骨Ｓの水平の載置面１２ａ１の脚側縁１２ａ２に部分的に載置されている場合と比較して、腰椎Ｌ３とＬ４との間の屈曲角度が大幅に小さくなっており、腰椎Ｌ３〜Ｌ５に与える負荷が小さくなっていることが分かる。
【００６３】
（Ｂ）
上記実施形態では、マット１がウレタンなどの材料で一体形成されている例が示されているが、本発明はこれに限定されるものではない。本発明の他の変形例として、仙骨対応部１２は、仰臥した人５０の仙骨Ｓに対応する部位を支持する仙骨支持部１２ａを有しており、仙骨支持部１２ａの高さは、腸骨支持部１１の高さと同じになるように設定されている場合において、腸骨支持部１１および仙骨支持部１２ａのうちの少なくとも一方の材料の性質を変更することにより、仙骨支持部１２ａの硬度を腸骨支持部１１の硬度よりも低くなるように設定してもよい。
【００６４】
かかる構成によれば、仙骨支持部１２ａは腸骨支持部１１よりも柔らかいので、仙骨支持部１２ａから仙骨Ｓに対応する部位への反力（体圧）を抑制しながら、仙骨支持部１２ａによって仙骨Ｓをうなずき運動可能に支持することが可能になり、その結果、仙骨Ｓにつながる腰椎Ｌ３〜Ｌ５に与える負荷を小さくすることが可能になる。
【００６５】
（Ｃ）
上記実施形態では、一対の腸骨支持部１１は、腸骨稜ＬＭａに対応する部位が載置される載置面１１ａをそれぞれ有し、載置面１１ａにおける仙骨対応部１２に近い側の縁である内側上縁１１ｂを有しており、この内側上縁１１ｂは図１に示されるように、尖っている。しかし、本発明の変形例として、この内側上縁１１ａ２は、平面状またはアール状に面取りされてもよい。
【００６６】
その場合、仰臥時において、腸骨支持部１１の内側上縁１１ｂに腸骨稜ＬＭａに対応する部位が当接しても、内側上縁１１ｂは面取りされているので、内側上縁１１ｂからの体圧が分散されるので、仰臥時の痛みや違和感が緩和される。
【００６７】
（Ｄ）
上記実施形態では、一対の腸骨支持部１１の間に配置され、仙骨Ｓの下方に位置する仙骨対応部１２の一例として、仙骨Ｓに対応する部位を支持する仙骨支持部１２ａを有する仙骨対応部１２が示されているが、本発明はこれに限定されるものではない。本発明の仙骨対応部１２は、一対の腸骨支持部１１の間に配置され、仙骨Ｓの下方に位置しており、一対の腸骨支持部１１および仙骨対応部が、仙骨対応部から仰臥した人の仙骨Ｓに対応する部位に与える体圧が一対の腸骨支持部１１から仰臥した人５０の一対の腸骨ＬＭに対応する部位に与える体圧よりも低くなるように構成されていればよい。
【００６８】
したがって、本発明の変形例として、図１０に示されるように、仙骨対応部１２は、仰臥した人の仙骨Ｓに対応する部位から離間することにより当該仙骨Ｓに対応する部位を支持しない仙骨不支持部１２ｂによって全体的に構成されていてもよい。この構成では、ベース部２の上面２ａから上方Ｚ１に突出する仙骨支持部１２ａが存在せず、当該上面２ａと同一の高さに仙骨不支持部１２ｂが存在するだけである。仙骨不支持部１２ｂとその両側の一対の腸骨支持部１１の対向面によって、空間部１６が形成されている。
【００６９】
かかる構成によれば、仙骨対応部１２の全体を構成する仙骨不支持部１２ｂが仙骨Ｓに対応する部位から離間することにより当該仙骨Ｓに対応する部位を支持せず、仙骨Ｓは、仙骨不支持部１２ｂの上方に形成された空間部１６に収容された状態になる。この構成では、仙骨Ｓに対応する部位は、仙骨対応部１２を構成する仙骨不支持部１２ｂからの反力（体圧）による影響を全く受けないでうなずき運動可能に支持することが可能になり、その結果、仙骨Ｓにつながる腰椎Ｌ３〜Ｌ５に与える負荷を小さくすることが可能になる。
【００７０】
（Ｅ）
上記実施形態では、図１〜５に示されるように、仰臥した人５０の背中５２を支持する突出部として背中支持部３が設けられている例が示されているが、本発明はこれに限定されるものではない。本発明の変形例として、例えば、図１１に示されるように、突出部である背中支持部３を省略してベース部２の上面２ａで背中５２を支持するようにしてもよい。
【００７１】
（Ｇ）
上記実施形態のマット１は、図１〜５に示されるように、背中支持部３、骨盤支持部４（一対の腸骨支持部１１および仙骨支持部１２ａ）、脚部支持部５が平坦な矩形の厚板形状を有しているが、本発明はこれ限定されるものではなく、仰臥した人５０の体型に沿った曲線形状に形成されていてもよい。とくに、仙腸関節Ｊ１に対応する部位を支持する部分は、仙腸関節Ｊ１に対応する部位にストレスを与えないようなスムーズな傾斜や空間を有する形状であることが好ましい。
【００７２】
＜実施形態のまとめ＞
前記実施形態をまとめると以下のとおりである。
【００７３】
前記実施形態にかかるマットは、仰臥した人の少なくとも骨盤に対応する部位を支持するマットであって、  前記骨盤のうち一対の腸骨における腸骨稜の少なくとも幅方向外側の部分に対応する部位の下方にそれぞれ配置されることにより、前記一対の腸骨に対応する部位を下方から個別に支持する一対の腸骨支持部と、前記一対の腸骨支持部の間に配置され、前記骨盤のうち前記一対の腸骨の間の仙骨に対応する部位の下方に位置する仙骨対応部とを備えており、前記一対の腸骨支持部および前記仙骨対応部は、前記仙骨対応部からの体圧が前記一対の腸骨支持部からの体圧よりも低くなるように構成されている、ことを特徴とする。
【００７４】
上記のマットは、骨盤のうち一対の腸骨における仰臥した人の頭に近い側の縁である腸骨稜の下方において当該腸骨稜の少なくとも幅方向外側の部分に対応する部位に当接可能な位置にそれぞれ配置された一対の腸骨支持部と、当該一対の腸骨支持部の間に配置された仙骨対応部とを備えている。したがって、人が上記構成のマットに仰臥したときには、一対の腸骨支持部が一対の腸骨のそれぞれの腸骨稜に対応する部位に当接した状態で、一対の腸骨に対応する部位を下方から個別に支持することが可能になる。このとき、一対の腸骨は腸骨稜に対応する部位で腸骨支持部からの反力（体圧）を受けることによって身体の前方かつ中心側へ向かう旋回（内旋）運動が促される。
【００７５】
また、上記のマットでは、一対の腸骨支持部および仙骨対応部は、仙骨対応部からの体圧が一対の腸骨支持部からの体圧よりも低くなるように構成されている。このため、一対の腸骨の間の仙骨は、一対の腸骨の内旋に伴って前方かつ脚側へ向けて旋回、すなわち、うなずき運動を、仙骨対応部からの反力（体圧）によって阻害されることなく行うことが可能になる。仙骨がうなずき運動をすることによって、仙骨に連続する腰椎につながる横隔膜が仰臥した人の頭へ向かう方向に移動し、胸郭が収縮することにより、呼気がしやすくなる。また、呼気がしやすくなればその反動で吸気も容易になる。その結果、仰臥時における呼吸の促進を可能する。
【００７６】
上記のマットにおいて、前記腸骨支持部の高さは、前記仙骨対応部の高さよりも相対的に高くなるように設定されているのが好ましい。
【００７７】
かかる構成によれば、仙骨対応部から仙骨に対応する部位への反力（体圧）を抑制しながら、腸骨支持部によって腸骨に対応する部位を確実に支持して腸骨の内旋および仙骨のうなずき運動を促すことが可能になる。その結果、仰臥時における呼吸の促進を確実に可能する。
【００７８】
上記のマットにおいて、前記一対の腸骨支持部は、前記腸骨稜に対応する部位が載置される載置面をそれぞれ有し、前記載置面における前記仙骨対応部に近い側の縁は、面取りされているのが好ましい。
【００７９】
かかる構成によれば、仰臥時において、腸骨支持部の仙骨対応部に近い側の縁に腸骨稜に対応する部位が当接しても、当該縁は面取りされているので、当該縁からの体圧が分散されるので、仰臥時の痛みや違和感が緩和される。
【００８０】
上記のマットにおいて、仰臥した人の背中を支持する背中支持部をさらに備えており、前記背中支持部の高さは、前記腸骨支持部の高さと同じになるように設定されているのが好ましい。
【００８１】
かかる構成によれば、仰臥した人の背中および腸骨に対応する部位がマット上の同一平面で支持されるので、腸骨支持部が上方に突出することによる違和感を軽減することが可能である。なお、腸骨支持部による腸骨を内旋させる効果を高めるためには、腸骨支持部は、背中支持部よりも若干高い方が好ましい。
【００８２】
上記のマットにおいて、前記仙骨対応部は、前記仰臥した人の前記仙骨における前記仰臥した人の頭側の部分を支持する仙骨支持部と、当該仙骨における前記仰臥した人の脚側の部分から下方に離間することにより当該脚側の部分を支持しない仙骨不支持部とを有するのが好ましい。
【００８３】
かかる構成によれば、仙骨がうなずき運動をした状態では、仙骨の頭側の部分は脚側の部分よりも上方に位置している。そこで、上記の構成では、仙骨のうち頭側の部分を仙骨支持部で部分的に支持し、脚側の部分については仙骨不支持部が当該部分から下方に離間して当該部分を支持しないようにする。これにより、腸骨支持部からの体圧、仙骨支持部からの体圧、および仙骨不支持部からの体圧の順に体圧を段階的に低く調整することが可能であり、さらに、仙骨を前傾した状態を維持しながらも仙骨対応部全体から仙骨への平均的な体圧をより低くすることが可能になる。これにより、仙骨のうなずき運動を円滑に促すことが可能になり、その結果、仰臥時における呼吸の促進をより確実に可能する。
【００８４】
上記のマットにおいて、前記仙骨支持部の高さは、前記仰臥した人の脚に向かうにつれて低くなるように、設定され、前記仙骨支持部は、前記仰臥した人の少なくとも前記仙骨における前記仰臥した人の頭側部分および当該仙骨に隣接する腰椎に対応する部位を下方から連続的に支持するのが好ましい。
【００８５】
かかる構成によれば、仙骨が前方にうなずいた状態では、仙骨支持部が仙骨および腰椎に対応する部位の広範囲に当接して体圧を分散させながら支持することが可能になる。その結果、仙骨につながる腰椎に与える負荷をさらに小さくすることが可能になる。
【００８６】
上記のマットにおいて、前記仙骨対応部は、前記仰臥した人の前記仙骨に対応する部位を支持する仙骨支持部を有し、前記仙骨支持部の高さは、前記腸骨支持部の高さと同じになるように設定されており、前記仙骨支持部の硬度は、前記腸骨支持部の硬度よりも低くなるように設定されているのが好ましい。
【００８７】
かかる構成によれば、仙骨支持部は腸骨支持部よりも柔らかいので、仙骨支持部から仙骨への反力（体圧）を抑制しながら、仙骨支持部によって仙骨をうなずき運動可能に支持することが可能になり、その結果、仙骨につながる腰椎に与える負荷を小さくすることが可能になる。
【００８８】
上記のマットにおいて、前記仰臥した人の前記仙骨に対応する部位から離間することにより当該仙骨を支持しない仙骨不支持部によって構成されているのが好ましい。
【００８９】
かかる構成によれば、仙骨は、仙骨対応部を構成する仙骨不支持部からの反力（体圧）による影響を全く受けないでうなずき運動可能に支持することが可能になり、その結果、仙骨につながる腰椎に与える負荷を小さくすることが可能になる。
【００９０】
以上のように構成された本実施形態のマットは、仰臥時における呼吸の促進を可能にすることが可能である。
【要約】
仰臥時における呼吸の促進を可能にしたマット（１）を提供する。マット（１）は、骨盤（ＰＶ）のうち一対の腸骨（ＬＭ）における腸骨稜（ＬＭａ）の少なくとも幅方向外側の部分（ＬＭｂ）対応する部位の下方にそれぞれ配置されることにより、一対の腸骨（ＬＭ）に対応する部位を下方から個別に支持する一対の腸骨支持部（１１）と、一対の腸骨支持部（１１）の間に配置され、骨盤（ＰＶ）のうち一対の腸骨（ＬＭ）の間の仙骨（Ｓ）の下方に位置する仙骨対応部（１２）を備えている。一対の腸骨支持部（１１）および仙骨対応部（１２）は、仙骨対応部（１２）からの体圧が一対の腸骨支持部（１１）からの体圧よりも低くなるように構成されている。【図１】
0006971516.tif 000002
【図２】
0006971516.tif 000003
【図３】
0006971516.tif 000004
【図４】
0006971516.tif 000005
【図５】
0006971516.tif 000006
【図６】
0006971516.tif 000007
【図７】
0006971516.tif 000008
【図８】
0006971516.tif 000009
【図９】
0006971516.tif 000010
【図１０】
0006971516.tif 000011
【図１１】
0006971516.tif 000012